(57)【要約】【課題】従来よりも操作性の良い空気調和機の室内機を得る。【解決手段】パネル２が筐体１から開放された状態で、フック３ｂがパネル２に押圧されていくとバネ５は圧縮されてフック３ｂは下方に変位し、パネル側係合部２ａ１がフック３ｂを乗り越えるとバネ５の圧縮が解放されてバネ５が摺動子３を上方に付勢し、摺動子３が上方に変位するとフック３ｂとパネル側係合部２ａ１とが係合し、パネル２は筐体１に固定され、パネル２が筐体１に固定された状態で、一対の摘み３ａが下方に変位すると各バネ５は圧縮されてフック３ｂは圧縮されてフック３ｂは下方に変位し、フック３ｂとパネル側係合部２ａ１との係合は解除され、パネル２は筐体１から開放される。【選択図】図７
2014202384.tif 000002
【特許請求の範囲】
【請求項１】
筐体と、
前記筐体の前面を覆うパネルと、
前記筐体に取り付けられ、摘み及びフックを有する一対の摺動子と、
前記一対の摺動子のそれぞれの下面に取り付けられる弾性体と、を備え、
前記パネルには、前記フックと係合するパネル側係合部が設けられ、
前記パネルが前記筐体から開放された状態で、前記フックが前記パネルに押圧されていくと前記弾性体は圧縮されて前記フックは下方に変位し、前記パネル側係合部が前記フックを乗り越えると前記弾性体の圧縮が解放されて前記弾性体が前記摺動子を上方に付勢し、前記摺動子が上方に変位すると前記フックと前記パネル側係合部とが係合し、前記パネルは前記筐体に固定され、
前記パネルが前記筐体に固定された状態で、一対の前記摘みが下方に変位すると各前記弾性体は圧縮されて前記フックは下方に変位し、前記フックが下方に変位すると前記フックと前記パネル側係合部との係合は解除され、前記パネルは前記筐体から開放される
ことを特徴とする空気調和機の室内機。
【請求項２】
前記摘みは、
前記筐体の両側面に設けられる
ことを特徴とする請求項１記載の空気調和機の室内機。
【発明の詳細な説明】
【技術分野】
【０００１】
本発明は、空気調和機の室内機に関する。
【背景技術】
【０００２】
従来、つまみを有する摺動子をスライドさせ、グリルをキャビネットに固定する空気調和機があった（例えば、特許文献１参照）。
【先行技術文献】
【特許文献】
【０００３】
【特許文献１】特開２００５−１４７５０８号公報（［００１９］〜［００２４］、図１１〜図１５）
【発明の概要】
【発明が解決しようとする課題】
【０００４】
しかしながら、特許文献１に示される空気調和機においては、グリルをキャビネットに固定するとき、手動でつまみを左右にスライドさせる必要があるため、使用者の手間がかかり使い勝手が良くないという課題があった。また、使用者がつまみをスライドし忘れた場合にはグリルは閉止されない。例えば、グリルがキャビネットに固定されているときに使用者がパネルを清掃し、誤ってつまみをスライドさせてしまうと、意図しないでグリルが開放されるという課題があった。
【０００５】
本発明は、上述のような課題を背景としてされたものであり、従来よりも操作性の良い空気調和機の室内機を得ることを目的とする。
【課題を解決するための手段】
【０００６】
本発明に係る空気調和機の室内機は、筐体と、前記筐体の前面を覆うパネルと、前記筐体に取り付けられ、摘み及びフックを有する一対の摺動子と、前記一対の摺動子のそれぞれの下面に取り付けられる弾性体と、を備え、前記パネルには、前記フックと係合するパネル側係合部が設けられ、前記パネルが前記筐体から開放された状態で、前記フックが前記パネルに押圧されていくと前記弾性体は圧縮されて前記フックは下方に変位し、前記パネル側係合部が前記フックを乗り越えると前記弾性体の圧縮が解放されて前記弾性体が前記摺動子を上方に付勢し、前記摺動子が上方に変位すると前記フックと前記パネル側係合部とが係合し、前記パネルは前記筐体に固定され、前記パネルが前記筐体に固定された状態で、一対の前記摘みが下方に変位すると各前記弾性体は圧縮されて前記フックは下方に変位し、前記フックが下方に変位すると前記フックと前記パネル側係合部との係合は解除され、前記パネルは前記筐体から開放される。
【発明の効果】
【０００７】
本発明によれば、パネルが筐体から開放された状態で、フックがパネルに押圧されていくと弾性体は圧縮されてフックは下方に変位し、パネル側係合部がフックを乗り越えると弾性体の圧縮が解放されて弾性体が摺動子を上方に付勢し、摺動子が上方に変位するとフックとパネル側係合部とが係合し、パネルは筐体に固定される。このため、パネルを筐体に固定するときの作業負担が軽減され、従来よりも操作性の良い空気調和機の室内機を得ることができる。
また、本発明によれば、パネルが筐体に固定された状態で、一対の摘みが下方に変位すると各弾性体は圧縮されてフックは下方に変位し、フックとパネル側係合部との係合は解除され、パネルは筐体から開放される。このため、使用者が意図せずに、パネルが開放されることを抑制することができ、従来よりも操作性の良い空気調和機の室内機を得ることができる。
【図面の簡単な説明】
【０００８】
【図１】本発明の実施の形態１に係る空気調和機の室内機１００の斜視図である。
【図２】本発明の実施の形態１に係る空気調和機の室内機１００のパネル２が開放された状態を示す斜視図である。
【図３】本発明の実施の形態１に係る空気調和機の室内機１００の固定部材１０の分解斜視図である。
【図４】本発明の実施の形態１に係る空気調和機の室内機１００の固定部材１０の斜視図である。
【図５】本発明の実施の形態１に係る空気調和機の室内機１００の固定部材１０が筐体１に取り付けられた状態を示す横断面図である。
【図６】本発明の実施の形態１に係る空気調和機の室内機１００の固定部材１０が筐体１に取り付けられた状態を示す背面図である。
【図７】本発明の実施の形態１に係る空気調和機の室内機１００のパネル２が筐体１に固定された状態を示す縦断面図であり、図１のＸ−Ｘ断面図である。
【図８】本発明の実施の形態１に係る空気調和機の室内機１００のパネル２が筐体１に固定された状態における固定部材１０を示す斜視図である。
【図９】本発明の実施の形態１に係る空気調和機の室内機１００のパネル２が開放された状態を示す縦断面図である。
【図１０】本発明の実施の形態１に係る空気調和機の室内機１００のパネル２が開放された状態における固定部材１０を示す斜視図である。
【図１１】本発明の実施の形態１に係る空気調和機の室内機１００のパネル２の筐体１への固定を説明するための縦断面図である。
【発明を実施するための形態】
【０００９】
実施の形態１.
図１は本発明の実施の形態１に係る空気調和機の室内機１００の斜視図である。
図２は本発明の実施の形態１に係る空気調和機の室内機１００のパネル２が開放された状態を示す斜視図である。
【００１０】
図１，図２に示されるように、室内機１００は筐体１とパネル２とを備えた、略直方体の形状のものである。室内機１００は、例えば居室の床に置かれて使用される床置き型の室内機である。筐体１の左側面側には摘み３ａが設けられており、図示していないが、筐体１の右側面側にも同様に摘み３ａが設けられている。摘み３ａの詳細については後述する。
【００１１】
図１のように、パネル２が筐体１に固定された状態で、使用者が、筐体１の両側面に設けられた摘み３ａを下方に押し下げると、パネル２は開放される。そして、使用者が、パネル２に対して、筐体１から離れるように点線矢印α方向に力を加えていくと、筐体１とパネル２との位置関係は図２のようになり、前面１ａが次第に露出する。以下に、摘み３ａを構成要素とする固定部材１０について説明する。なお、筐体１の両側面には開口部（図示省略）が上下に形成されている。この開口部は、摘み３ａを下方に押し下げることができるようにするためのものである。
【００１２】
図３は本発明の実施の形態１に係る空気調和機の室内機１００の固定部材１０の分解斜視図である。図４は本発明の実施の形態１に係る空気調和機の室内機１００の固定部材１０の斜視図である。
【００１３】
図３に示されるように、固定部材１０は、摺動子３と、カバー４と、バネ５とを備える。摺動子３は、摘み３ａと、フック３ｂと、バネ取付棒３ｃと、摺動部３ｄと、摺動子本体３ｚとを備える。カバー４は、摺動子３を筐体１に取り付けるための部材であり、バネ支持部４ｃと、摺動部受け部４ｄとを備える。バネ５は、摺動子３のバネ取付棒３ｃに取付けられる弾性体である。なお、図３は、筐体１の左側面側前方に取り付けられる固定部材１０の例を示したものであり、筐体１の右側面側前方に取り付けられる固定部材１０は、例えば図３の固定部材１０と左右対称の形状である。
【００１４】
次に、摺動子３及びカバー４の構成要素について説明する。
摘み３ａは、固定部材１０が筐体１に取り付けられた状態で筐体１の両側面から露出するように突出する部材である。摘み３ａは摺動子本体３ｚの側面側に設けられている。摘み３ａは使用者によって操作される部材である。フック３ｂは、摺動子３が筐体１に取り付けられた状態で筐体１の前面側に突出し、先端が上方に突出する部材である。フック３ｂの詳細については後述する。バネ取付棒３ｃは、摺動子本体３ｚの下面から下方に突出した円柱形状のものである。摺動部３ｄは、バネ取付棒３ｃと同方向に延びるレール状の部材であり、フック３ｂを挟んで一対設けられている。バネ支持部４ｃは、摺動子３の取付面側が開口する、平面視してＵ字状の部材である。摺動部受け部４ｄは、摺動部３ｄと係合する部材であり、摺動子３がカバー４に取り付けられた状態で、バネ取付棒３ｃと同方向に延びるレール状の部材であり、フック３ｂを挟んで一対設けられている。摺動部３ｄと摺動部受け部４ｄとが係合することで、摺動子３がカバー４に取り付けられる。摺動部３ｄ及び摺動部受け部４ｄの形状については、後述する図５を用いて説明する。
【００１５】
次に、固定部材１０の組立について説明する。使用者が、摺動子３の下部のバネ取付棒３ｃをバネ５に挿入した状態で、バネ５の下端をバネ支持部４ｃの上端に当接させ、摺動子３の摺動部３ｄとカバー４の摺動部受け部４ｄとを係合させると、摺動子３がカバー４に取り付けられ、図４のように固定部材１０が構成される。このように、摺動子３がカバー４に取り付けられると、摺動部３ｄの前後方向の移動が規制される一方で、摺動部３ｄの上下方向の移動は規制されずに摺動自在となる。また、摺動子３は、バネ５を介してバネ支持部４ｃに支持されており、定位置に留まっている。
【００１６】
図５は本発明の実施の形態１に係る空気調和機の室内機１００の固定部材１０が筐体１に取り付けられた状態を示す横断面図である。図６は本発明の実施の形態１に係る空気調和機の室内機１００の固定部材１０が筐体１に取り付けられた状態を示す背面図である。図５は、図４のＹ−Ｙ線における断面を示している。
【００１７】
図５に示されるように、摘み３ａは、筐体１の側面から露出している。フック３ｂは、筐体１の前面側（図５の紙面上側）に突出している。摺動部３ｄは、摺動子３の背面側で左右外方から突出している。摺動部受け部４ｄは、カバー４の前面から左右内方に突出している。図５に示されるような固定部材１０が筐体１に取り付けられた状態を筐体１の背面側から見ると、図６に示されるようになっている。
【００１８】
図７は本発明の実施の形態１に係る空気調和機の室内機１００のパネル２が筐体１に固定された状態を示す縦断面図であり、図１のＸ−Ｘ断面図である。図８は本発明の実施の形態１に係る空気調和機の室内機１００のパネル２が筐体１に固定された状態における固定部材１０を示す斜視図である。図９は本発明の実施の形態１に係る空気調和機の室内機１００のパネル２が開放された状態を示す縦断面図である。図１０は本発明の実施の形態１に係る空気調和機の室内機１００のパネル２が開放された状態における固定部材１０を示す斜視図である。図１１は本発明の実施の形態１に係る空気調和機の室内機１００のパネル２の筐体１への固定を説明するための縦断面図である。
【００１９】
図７に示されるように、パネル２は、上方側延設部２ａと、下方側延設部２ｂとを備え、パネル穴部２ｃ及びパネル内部空間２ｄが形成されている。
【００２０】
上方側延設部２ａは、パネル２の背面部上方から背面側に突出して折れ曲がり、下方に延びたＬ字形状のものである。上方側延設部２ａには、筐体側係合部３ｂ１（後述する）と当接する面であるパネル側係合部２ａ１が形成されている。また、上方側延設部２ａの先端にはフック案内部２ａ２が形成されている。フック案内部２ａ２は、パネル２の前面側に向かって下方に傾斜し、パネル２を筐体１に取り付けるときに、フック３ｂをパネル内部空間２ｄに案内する。
【００２１】
下方側延設部２ｂは、パネル２の背面部の上方側延設部２ａよりも下方から背面側に突出して折れ曲がり、上方に延びたＬ字形状のものである。パネル穴部２ｃは、上方側延設部２ａの先端と、下方側延設部２ｂとの間に形成される開口部である。パネル内部空間２ｄは、上方側延設部２ａと、下方側延設部２ｂとの間に形成された空間である。
【００２２】
フック３ｂは、筐体側係合部３ｂ１と、フック面取部３ｂ２とを備えた鈎状の部材である。筐体側係合部３ｂ１は、フック３ｂの先端部分の摺動子本体３ｚ側に形成された面であり、パネル側係合部２ａ１と係合する。フック面取部３ｂ２は、フック３ｂの上方に折れ曲がった先端部の上面の一部を構成し、筐体１の前面側の下方が突出するように傾斜した面である。パネル２のフック案内部２ａ２の斜面の角度、及びフック３ｂのフック面取部３ｂ２の斜面の角度は、例えば同一となっている。
【００２３】
次に、摺動子３が取り付けられた筐体１及びパネル２の動作について説明する。
まず、筐体１からパネル２を取り外すときの動作について説明する。図７，図８に示されるような状態で、使用者が、筐体１の両側面に設けられている摺動子３の摘み３ａを下方に押圧すると、一対の摘み３ａは下方に変位してバネ５が縮み、摺動部３ｄが摺動部受け部４ｄと係合した状態で下方に変位するとともにフック３ｂも下方に変位し、パネル側係合部２ａ１と筐体側係合部３ｂ１との係合状態は解除され、図９，図１０に示されるような状態となる。
【００２４】
図９，図１０に示されるような状態で、使用者が、摘み３ａに力を加えるのを止めると、バネ５は摺動子３を上方に付勢し、摺動子３は元の位置に戻るように変位する。このとき、摺動部３ｄは摺動部受け部４ｄと係合した状態で上方に変位する。使用者が、パネル２を筐体１から遠ざかるように点線矢印α方向に力を加えていくと、筐体１の前面１ａが露出し、図２に示されるような状態となる。
【００２５】
次に、筐体１にパネル２を取り付けるときの動作について説明する。図１１に示されるような状態で、使用者が、パネル２を筐体１側に向かって押圧すると、パネル２のフック案内部２ａ２とフック３ｂのフック面取部３ｂ２とが当接した状態で、パネル２は筐体１側に近づいていく。このとき、パネル２のフック案内部２ａ２が、フック３ｂのフック面取部３ｂ２を下方に押す力が働くため、バネ５が縮み、摺動部３ｄは摺動部受け部４ｄと係合した状態で下方に変位する。そうすると、フック３ｂはパネル穴部２ｃを通り、パネル内部空間２ｄ内にパネル２の上方側延設部２ａによって案内される。そして、パネル２が筐体１側に向かってさらに押圧されると、パネル２の上方側延設部２ａはフック３ｂの上方に突出する先端側の部位を乗り越え、縮んだバネ５が摺動子３を上方に付勢する。このとき、摺動部３ｄは摺動部受け部４ｄと係合した状態で上方に変位するとともにフック３ｂも上方に変位する。そして、パネル側係合部２ａ１と筐体側係合部３ｂ１とが係合し、パネル２が筐体１に固定され、図７，図８に示されるような状態となる。
【００２６】
以上のように、本実施の形態１に係る空気調和機の室内機１００は、パネル２が筐体１から開放された状態で、フック３ｂがパネル２に押圧されていくとバネ５は圧縮されてフック３ｂは下方に変位し、パネル側係合部２ａ１がフック３ｂを乗り越えるとバネ５の圧縮が解放されてバネ５が摺動子３を上方に付勢し、摺動子３が上方に変位するとフック３ｂとパネル側係合部２ａ１とが係合し、パネル２は筐体１に固定される。このため、パネル２を筐体１に固定するときの作業負担が軽減され、従来よりも操作性の良い空気調和機の室内機１００を得ることができる。
【００２７】
また、本実施の形態１に係る空気調和機の室内機１００は、パネル２が筐体１に固定された状態で、一対の摘み３ａが下方に変位すると各バネ５は圧縮されてフック３ｂは圧縮されてフック３ｂは下方に変位し、フック３ｂとパネル側係合部２ａ１との係合は解除され、パネル２は筐体１から開放される。このように、パネル２を開放させるためには、一対の摘み３ａを下方に変位させる必要がある。このため、使用者が意図せずに、パネル２が開放されることを抑制することができ、従来よりも操作性の良い空気調和機の室内機１００を得ることができる。
【００２８】
また、本実施の形態１に係る空気調和機の室内機１００は、摘み３ａが筐体１の正面ではなく両側面に設けられている。このため、室内機１００の意匠性が損なわれにくくなる。
【符号の説明】
【００２９】
１  筐体、１ａ  前面、２  パネル、２ａ  上方側延設部、２ａ１  パネル側係合部、２ａ２  フック案内部、２ｂ  下方側延設部、２ｃ  パネル穴部、２ｄ  パネル内部空間、３  摺動子、３ａ  摘み、３ｂ  フック、３ｂ１  筐体側係合部、３ｂ２  フック面取部、３ｃ  バネ取付棒、３ｄ  摺動部、３ｚ  摺動子本体、４  カバー、４ｃ  バネ支持部、４ｄ  摺動部受け部、５  バネ、１０  固定部材、１００  室内機。
【図１】
2014202384.tif 000003
【図２】
2014202384.tif 000004
【図３】
2014202384.tif 000005
【図４】
2014202384.tif 000006
【図５】
2014202384.tif 000007
【図６】
2014202384.tif 000008
【図７】
2014202384.tif 000009
【図８】
2014202384.tif 000010
【図９】
2014202384.tif 000011
【図１０】
2014202384.tif 000012
【図１１】
2014202384.tif 000013